(57)【要約】【課題】通信相手先への通信前に、操作者が、先に行われた通信の結果を簡単に確認できるようにする。【解決手段】通信対象となる通信相手先を示す通信相手先を記憶する通信相手先記憶部５３と、通信相手先を通信相手先候補としてリスト化したアドレス帳画面Ｃを表示部に表示させる表示制御部５２２と、表示部４１０にアドレス帳画面Ｃが表示されているときに、通信対象とする通信相手先を操作者から受け付ける通信相手先受付部５２３と、送信が行われた通信相手先への通信結果を記憶する通信結果記憶部５４とを備え、表示制御部５２２は、アドレス帳画面Ｃを表示部４１０に表示させるとき、各通信相手先と共に、各通信相手先に対応する通信結果を通信結果記憶部５４から読み出してアドレス帳画面Ｃ内に表示させる。【選択図】図６
2011160027.tif 000002
【特許請求の範囲】
【請求項１】
通信を行う通信部と、
前記通信部による通信対象となる通信相手先を示す通信相手先を記憶する通信相手先記憶部と、
前記通信相手先を表示する表示部と、
前記通信相手先を通信相手先候補としてリスト化した通信相手先リスト画面を前記表示部に表示させる表示制御部と、
前記表示制御部によって前記表示部に前記通信相手先リスト画面が表示されているときに、前記通信部に通信を行わせる通信相手先を操作者から受け付ける通信相手先受付部と、
前記送信部によって行われた前記通信相手先への少なくとも直前の通信結果を記憶する通信結果記憶部とを備え、
前記表示制御部は、前記通信相手先リスト画面を前記表示部に表示させるとき、前記各通信相手先と共に、各通信相手先に対応する前記通信結果を前記通信結果記憶部から読み出して前記通信相手先リスト画面内に表示させる画像表示装置。
【請求項２】
前記表示制御部は、前記通信相手先リスト画面を前記表示部に表示させるとき、前記通信結果記憶部に記憶されている前回の前記通信結果が通信エラーであると判断したときに、当該通信結果を通信相手先と共に前記通信相手先リスト画面の初期画面に表示させ、前記通信結果が通信エラーでない通信相手先については、各通信相手先に対応付けられた通信結果を前記通信相手先リスト画面に表示させない請求項１に記載の画像表示装置。
【請求項３】
前記各通信相手先について、対応する前記通信結果の表示要求を操作者から受け付ける通信結果表示要求受付部を更に備え、
前記表示制御部は、前記通信相手先リスト画面を前記表示部に表示させるとき、前記通信結果記憶部に記憶されている前回の前記通信結果が通信エラーであると判断したときに、当該通信結果を通信相手先と共に前記通信相手先リスト画面の初期画面に表示させ、前記通信結果が通信エラーでない通信相手先については、前記通信結果表示要求受付部に前記表示要求が受け付けられた場合に、各通信相手先に対応付けられた通信結果を前記通信相手先リスト画面に表示させる請求項２に記載の画像表示装置。
【請求項４】
前記送信相手先情報記憶部に記憶されている相手先情報の中から、任意の相手先情報を選択する指示を操作者から受け付ける選択受付部を更に備え、
前記表示制御部は、前記選択受付部で選択された通信相手先については、前記通信結果を前記通信相手先リスト画面に表示させない請求項１乃至請求項３のいずれかに記載の画像表示装置。
【請求項５】
請求項１乃至請求項４のいずれかに記載の画像表示装置を備えた通信機器。
【請求項６】
請求項１乃至請求項４のいずれかに記載の画像表示装置を備えた画像形成装置。
【発明の詳細な説明】
【技術分野】
【０００１】
本発明は、画像表示装置、通信機器及び画像形成装置に関し、特に、通信時に通信相手先を指定する際の技術に関する。
【背景技術】
【０００２】
従来から、操作者により指定された通信相手先に、電話やファクシミリ送信、電子メール送信等の通信を行う通信機器が知られている。このような通信機器においては、本体に登録されている通信相手先は、繰り返し同じ宛先に送信することを想定して登録されているにも関わらず、前回通信相手先に送信した通信結果は、過去の通信記録を示す通信ログ画面等の別画面を表示させて確認しなければならない。このため、操作者は、仮に前回の送信で通信に失敗していた通信相手先であるにも関わらず、通信開始指示時に通信相手先を選択する際においては、ユーザは通信に失敗していたことを知るための操作が面倒である。さらに、通信ログ画面等で確認しようとしても、通信ログ保持の期間又は件数は有限であることが多いため、操作者が特定の通信相手先の前回の通信結果を確認したくても既に消去されている場合がある。
【０００３】
また、特許文献１に示されるファクシミリ装置は、過去の通信記録に基づいて、ファクシミリ通信の不達確率が一定値に達した通信相手先を一定値越えリストに記憶させ、この一定置越えリストに記憶されている通信相手先を纏めて表示部に表示させる。
【先行技術文献】
【特許文献】
【０００４】
【特許文献１】特開２００８−２２２７９号公報
【発明の概要】
【発明が解決しようとする課題】
【０００５】
しかしながら、上記特許文献１に示されたファクシミリ装置の場合であっても、操作者が、ファクシミリ送信前に通信相手先を指定するときに、今回指定したい通信相手先についての過去の通信における上記不達確率が高いか否かを確認したい場合は、上記一定値越えリストに記憶されている通信相手先を表示部に表示させる作業を行って、通信相手先の入力画面とは別の画面での確認作業を行わねばならず、面倒であった。
【０００６】
本発明は、上記の問題を解決するためになされたもので、通信相手先への通信前に、操作者が、先に行われた通信の結果を簡単に確認できるようにすることを目的とする。
【課題を解決するための手段】
【０００７】
本発明の請求項１に記載の発明は、通信を行う通信部と、
前記通信部による通信対象となる通信相手先を示す通信相手先を記憶する通信相手先記憶部と、
前記通信相手先を表示する表示部と、
前記通信相手先を通信相手先候補としてリスト化した通信相手先リスト画面を前記表示部に表示させる表示制御部と、
前記表示制御部によって前記表示部に前記通信相手先リスト画面が表示されているときに、前記通信部に通信を行わせる通信相手先を操作者から受け付ける通信相手先受付部と、
前記送信部によって行われた前記通信相手先への少なくとも直前の通信結果を記憶する通信結果記憶部とを備え、
前記表示制御部は、前記通信相手先リスト画面を前記表示部に表示させるとき、前記各通信相手先と共に、各通信相手先に対応する前記通信結果を前記通信結果記憶部から読み出して前記通信相手先リスト画面内に表示させる画像表示装置である。
【０００８】
この発明によれば、表示制御部は、通信相手先リスト画面を表示部に表示させるとき、各通信相手先と共に、各通信相手先に対応する通信結果を通信結果記憶部から読み出して表示させるので、通信相手先への通信前に、操作者が、先に行われた通信の結果を簡単に確認できる。
【０００９】
本発明の請求項２に記載の発明は、請求項１に記載の画像表示装置であって、前記表示制御部は、前記通信相手先リスト画面を前記表示部に表示させるとき、前記通信結果記憶部に記憶されている前回の前記通信結果が通信エラーであると判断したときに、当該通信結果を通信相手先と共に前記通信相手先リスト画面の初期画面に表示させ、前記通信結果が通信エラーでない通信相手先については、各通信相手先に対応付けられた通信結果を前記通信相手先リスト画面に表示させないものである。
【００１０】
この発明によれば、表示制御部は、通信相手先に対応する通信結果が通信エラーである場合に、その通信相手先への通信が通信エラーを生じていたことを通信相手先リスト画面の初期画面に表示し、通信結果が通信エラーでない場合は、各通信相手先についての通信結果を通信相手先リスト画面に表示させないので、通信相手先リスト画面が煩雑な表示となることで却って操作者が重要な情報を把握できないという事態を回避し、操作者は、通信時に重要な情報となる前回の通信でエラーが生じていた事実を的確に把握できる。
【００１１】
本発明の請求項３に記載の発明は、請求項２に記載の画像表示装置であって、前記各通信相手先について、対応する前記通信結果の表示要求を操作者から受け付ける通信結果表示要求受付部を更に備え、
前記表示制御部は、前記通信相手先リスト画面を前記表示部に表示させるとき、前記通信結果記憶部に記憶されている前記各通信相手先に対応する前記通信結果が通信エラーであると判断したときに、当該通信結果を前記通信相手先リスト画面の初期画面に表示させ、前記通信結果が通信エラーでない通信相手先については、前記通信結果表示要求受付部に前記表示要求が受け付けられた場合に、各通信相手先に対応付けられた通信結果を前記通信相手先リスト画面に表示させるものである。
【００１２】
この発明によれば、表示制御部は、通信相手先に対応する通信結果が通信エラーである場合に、その通信相手先への通信が通信エラーを生じていたことを通信相手先リスト画面の初期画面に表示し、通信結果が通信エラーでない場合は、操作者から通信結果の表示要求がされた場合に、各通信相手先についての通信結果を通信相手先リスト画面に表示させるので、操作者は、通信時に重要な情報となる前回の通信でエラーが生じていた事実を的確に把握でき、その他の通信結果については必要に応じて表示させて把握することが可能になる。
【００１３】
本発明の請求項４に記載の発明は、請求項１乃至請求項３のいずれかに記載の画像表示装置であって、前記送信相手先情報記憶部に記憶されている相手先情報の中から、任意の相手先情報を選択する指示を操作者から受け付ける選択受付部を更に備え、
前記表示制御部は、前記選択受付部で選択された通信相手先については、前記通信結果を前記通信相手先リスト画面に表示させないものである。
【００１４】
この発明によれば、表示制御部は、選択受付部で選択された通信相手先については、通信結果を通信相手先リスト画面に表示させないので、操作者は、所望の通信相手先のみについての通信結果を通信相手先リスト画面に表示させることが可能になる。
【００１５】
本発明の請求項５に記載の発明は、請求項１乃至請求項４のいずれかに記載の画像表示装置を備えた通信機器である。
【００１６】
本発明の請求項６に記載の発明は、請求項１乃至請求項４のいずれかに記載の画像表示装置を備えた画像形成装置である。
【発明の効果】
【００１７】
本発明によれば、通信相手先への通信前に、操作者が、先に行われた通信の結果を簡単に確認できるようにする。
【図面の簡単な説明】
【００１８】
【図１】本発明の一実施形態に係る画像形成装置の一例である複合機の構成を示す側面概略図である。
【図２】操作部の部分拡大図である。
【図３】図１に示す複合機の制御ブロック図である。
【図４】表示部に通信相手先及び通信結果を表示する際における処理の第１実施形態を示すフローチャートである。
【図５】表示部の表示画面の一例を示す図である。
【図６】表示部の表示画面の一例を示す図である。
【図７】表示部に通信相手先及び通信結果を表示する際における処理の第２実施形態を示すフローチャートである。
【図８】表示部の表示画面の一例を示す図である。
【図９】表示部に通信相手先及び通信結果を表示する際における処理の変形形態を示すフローチャートである。
【図１０】（ａ）（ｂ）は、表示部の表示画面の一例を示す図である。
【発明を実施するための形態】
【００１９】
以下、本発明の一実施形態に係る画像表示装置及び画像形成装置について図面を参照して説明する。図１は、本発明の一実施形態に係る画像形成装置の一例である複合機の構成を示す側面概略図である。図２は、操作部４００の部分拡大図である。複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読取部５００と、原稿読取部５００の上部に配設された原稿給送部６００とから構成される。
【００２０】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３、及び機能切換キー４３４等を備える。
【００２１】
ヘルプキー４３１は、操作者から、スキャナ機能、ファクシミリ機能、プリンタ機能、コピー機能等に関する各操作方法を表示する操作画面（ヘルプ画面）を表示部４１０に表示させる指示を受け付けるものである。
【００２２】
スタートキー４３２は、コピー動作やスキャン動作等の各動作を開始させる指示を操作者から受け付ける。テンキー４３３は、コピー部数を指定する指示等を操作者から受け付けるキーである。また、本実施形態では、テンキー４３３は、表示部４１０に表示中の操作画面に対応する操作指示の入力に必要な情報（例えば、ユーザボックス番号）の入力を受け付ける情報入力部として機能する。
【００２３】
機能切換キー４３４は、コピー機能、送信機能（スキャナ機能、ファクシミリ機能等）、文書ボックス機能（後述するＨＤＤ７４内の記憶領域（メールボックス）に記憶されているデータを読み出してプリントする機能）等を相互に切り替える機能切換指示を操作者から受け付けるキーである。
【００２４】
表示部４１０は、ＬＣＤ（Liquid Crystal Display）等からなり、タッチパネル機能を組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２５】
原稿給送部６０は、原稿載置部６０１、給紙ローラ６０２、原稿搬送部６０３及び原稿排出部６０４を備え、原稿読取部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２６】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２７】
感光体ドラム２０４は、矢印方向に回転しながら帯電装置（図示省略）によって一様に帯電される。露光装置２０６は、原稿読取部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２８】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２９】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００３０】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、及びファクシミリ通信部７５を備える。
【００３１】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像
に対応する画像を画像処理部２１へ出力する。
【００３２】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３３】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３４】
ネットワークＩ／Ｆ部７１は、ネットワークインタフェース（10/100Base-TX）等を用い、ＬＡＮ、又はルータを介したインターネットにより外部装置との間での種々のデータの送受信を制御する。ネットワークＩ／Ｆ部７１は、動作制御部５２１による制御の下、例えば、ＬＡＮにより当該複合機１に接続されたパーソナルコンピュータであって、操作部４００の操作により操作者から指定されたアドレスを有するパーソナルコンピュータに対して、スキャナ部１１によって読み取られた原稿画像データ等を送信して、操作者により指定された当該パーソナルコンピュータ内のフォルダに格納させる。また、ネットワークＩ／Ｆ部７１は、動作制御部５２１による制御の下、例えば、ルータを介してインターネット等により当該複合機１に接続されたコンピュータであって、操作部４００の操作により操作者から指定されたアドレスを有するパーソナルコンピュータに対して、電子メールを送信する。
【００３５】
ＨＤＤ７４は、スキャナ部１１によって読み取られた画像及び当該画像に設定されている出力形式等を記憶する。
【００３６】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。
【００３７】
例えば、表示部４１０には、後述する図６に示すアドレス帳画面Ｃの表示時に、当該画面内に「OK」キー４１１と、キャンセルキー４１２とが表示制御部５２２の表示制御により表示される。
【００３８】
「OK」キー４１１は、アドレス帳画面Ｃに対応する操作指示の入力完了を示す入力完了指示の入力をタッチパネル機能により操作者から受け付けるキーである。
【００３９】
キャンセルキー４１２は、アドレス帳画面Ｃに対応する操作指示が操作者により既に入力済みである場合に、当該入力済みの操作指示の入力を取り消す指示をタッチパネル機能により操作者から受け付けるソフトキーである。
【００４０】
操作キー部４３０には、図２に示した機能切換キー４３４、スタートキー４３２、テンキー４３３等が設けられている。制御部５１のＣＰＵ５２は、上記表示部４１０及び操作部４００の各キーから、操作者によって入力された指示を受け付ける。
【００４１】
ファクシミリ通信部７５は、符号化／復号化部（図示省略）、変復調部（図示省略）及びＮＣＵ（Network Control Unit）（図示省略）を含む。ファクシミリ通信部７５は、動作制御部５２１による制御の下、スキャナ部１１によって読み取られた原稿の画像データを、操作者による操作部４００の操作で指定された通信相手先のファクシミリ装置に、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。また、ファクシミリ通信部７５は、動作制御部５２１による制御の下、操作者による操作部４００の操作で指定された通信相手先のファクシミリ装置、或いは、当該複合機１をファクシミリデータの受信先として指定してくる外部のファクシミリ装置の間で、インターネットファクスによるデータ通信を行う。
【００４２】
制御部５１は、ＣＰＵ５２と、データ記憶部５０とを備える。ＣＰＵ５２は、複合機１の動作制御を司るものである。
【００４３】
データ記憶部５０は、通信相手先記憶部５３及び通信結果記憶部５４を備える。
【００４４】
通信相手先記憶部５３は、メモリ等からなり、操作者による操作部４００の操作で入力された、上記電子メールの送信相手先を示すアドレス、原稿画像データの格納先とするパーソナルコンピュータ及びそのフォルダを示すアドレス、ファクシミリ番号等を、上記ネットワークＩ／Ｆ部７１による通信、又は上記ファクシミリ通信部７５による通信の通信相手先として記憶する。
【００４５】
通信結果記憶部５４は、メモリ等からなり、上記ネットワークＩ／Ｆ部７１による通信、及び上記ファクシミリ通信部７５による通信が行われた時に、動作制御部５２１が取得したこれらの通信についての通信結果（例えば、通信が成立しなかったことを示す通信エラー、通信が成立したことを示す通信成功等）を記憶する。上記通信結果として動作制御部５２１により取得されて通信結果記憶部５４に記憶される通信エラーの種類としては、(1)電子メール送信の場合、送信相手先アドレスが無効であって送信完了不可能であった旨、(2)パーソナルコンピュータへのデータ送信の場合、通信相手方となる当該パーソナルコンピュータのアクセス拒否、(3)ファクシミリ通信の場合、通信相手方の着信拒否や話し中等の情報が記憶される。
【００４６】
ＣＰＵ５２は、動作制御部５２１、表示制御部５２２、通信相手先受付部５２３、選択受付部５２４、及び通信結果表示要求受付部５２５を備える。動作制御部５２１は、複合機１の各部（操作部４００、スキャナ部１１，画像処理部２１、プリンタ部３１等）の動作制御を司る。動作制御部５２１は、例えば、上述したように、上記ネットワークＩ／Ｆ部７１による通信、及び上記ファクシミリ通信部７５による通信を制御する。
【００４７】
表示制御部５２２は、表示部４１０の表示動作を制御する。表示制御部５２２は、図略のデータ記憶部から、操作画面の表示に必要な画像データ等を読み出して、通信相手先記憶部５３及び通信結果記憶部５４に記憶されている各情報と共に、アドレス帳画面Ｃ（通信相手先リスト画面の一例）を生成して、表示部４１０に表示させる。
【００４８】
通信相手先受付部５２３は、表示制御部５２２によって表示部４１０にアドレス帳画面Ｃが表示されているときに、上記ネットワークＩ／Ｆ部７１及びファクシミリ通信部７５による通信を行わせる通信相手先を示す通信相手先を、操作者による操作部４００の操作に基づいて受け付ける。
【００４９】
選択受付部５２４は、通信相手先記憶部５３に記憶されている通信相手先であって、表示制御部５２２によりアドレス帳画面Ｃとして表示部４１０に表示された通信相手先の中から、操作者が通信の相手先とする任意の通信相手先を選択する指示を、当該操作者による操作部４００の操作に基づいて受け付ける。なお、表示制御部５２２は、選択受付部５２４で操作者により選択された通信相手先については、上記通信結果をアドレス帳画面Ｃとして表示部４１０に表示させない。
【００５０】
通信結果表示要求受付部５２５は、表示制御部５２２による表示制御でアドレス帳画面Ｃに表示された各通信相手先に対応する通信結果の表示要求を操作者から受け付ける。本発明に係る実施形態としては、(1)表示制御部５２２は、アドレス表示画面Ｃを表示部４１０に表示させるときに、通信結果表示要求受付部５２５による操作者からの通信結果の表示要求の有無に関わらずに、各通信相手先に対応付けられて通信結果記憶部５４に記憶されている通信結果を表示部４１０に表示させる第１実施形態と（この形態では、通信結果表示要求受付部５２５は必須の構成要素ではない）、(2)表示制御部５２２は、アドレス表示画面Ｃを表示部４１０に表示させるとき、通信結果記憶部５４に記憶されている各通信相手先に対応する通信結果が通信エラーであると判断したときに、当該通信結果をアドレス表示画面Ｃの初期画面に表示させ、当該通信結果が通信エラーでない場合は、通信結果表示要求受付部５２５に操作者からの表示要求が受け付けられた場合にアドレス表示画面Ｃに表示させる第２実施形態（この形態では、通信結果表示要求受付部５２５は必須の構成要素となる）とがある。この第２実施形態の場合、表示制御部５２２は、アドレス表示画面Ｃを表示部４１０に初期表示させるとき、通信結果記憶部５４に記憶されている各通信相手先に対応する通信結果が通信エラーであると判断したときに、当該通信結果が通信エラーと判断された通信相手先についてはその通信結果を当該通信相手先と共に表示させ、当該通信結果が通信エラーでないと判断した通信相手先についてはその通信結果を当該通信相手先と共には表示させない。
【００５１】
なお、本発明の一実施形態に係る画像表示装置は、操作部４００と、表示部４１０と、動作制御部５２１と、表示制御部５２２と、通信結果記憶部５４とを備え、これに加えて更に、ネットワークＩ／Ｆ部７１又はファクシミリ通信部７５の少なくとも一方を備えてなる。
【００５２】
なお、本発明の一実施形態に係る表示制御プログラムは、ＨＤＤ７４等の複合機１内の記憶媒体に記憶されており、ＣＰＵ５２が当該表示制御プログラムに従って動作制御を行うことで、上記表示制御部５２２、通信相手先受付部５２３、選択受付部５２４、及び通信結果表示要求受付部５２５として機能し、更に制御部５２のメモリを通信結果記憶部５４として機能させる。この表示制御プログラムは、ＣＤ−ＲＯＭ又はＤＶＤからの読込、或いは、ネットワークＩ／Ｆ７１によるインターネット上のサーバからダウンロードにより、ＨＤＤ７４等に記憶される。
【００５３】
但し、上記表示制御部５２２、通信相手先受付部５２３、選択受付部５２４、及び通信結果表示要求受付部５２５は、ＣＰＵ５２が上記表示制御プログラムに従って動作制御することで実現されるものに限られず、上記表示制御部５２２、通信相手先受付部５２３、選択受付部５２４、及び通信結果表示要求受付部５２５が回路等によりハード的に備えられていてもよい。
【００５４】
次に、複合機１による、表示部４１０に各機能の動作状況を表示する際における処理の第１実施形態について説明する。図４は、表示部４１０に通信相手先及び通信結果を表示する際における処理の第１実施形態を示すフローチャート、図５及び図６は表示部４１０の表示画面の一例を示す図である。
【００５５】
複合機１の主電源が操作者によってオンにされると、表示制御部５２２は、表示部４１０に図５に示すような初期表示画面Ａを表示させる（Ｓ１）。本実施形態では、表示制御部５２２は、初期表示画面Ａの一例として、表示部４１０に、コピー機能の動作条件が設定可能な表示画面を表示させる例を示す。
【００５６】
表示制御部５２２が、表示部４１０に初期表示画面Ａを表示させているときに、操作者により、コピー動作の実行指示等、送信機能以外の他の動作の指示が入力されて動作制御部５２１に受け付けられた場合には（Ｓ２でＮＯ）、当該入力が受け付けられた他の動作が動作制御部５２１により実行される（Ｓ９）。
【００５７】
表示制御部５２２が、表示部４１０に初期表示画面Ａを表示させているときに、操作者により操作キー部４３０の機能切換キー４３４をなす例えば送信キー４３４１が押下され、この押下操作に基づいて、複合機１に取得された画像データ等を外部機器に送信する送信機能の開始指示が動作制御部５２１に受け付けられると（Ｓ２でＹＥＳ）、表示制御部５２２は、通信相手先記憶部５３に記憶されている通信相手先（上記電子メールの送信相手先を示すアドレス、原稿画像データの格納先とするパーソナルコンピュータ及びそのフォルダを示すアドレス、ファクシミリ番号等）を読み出し、当該読み出した通信相手先に対応付けて記憶されている過去の通信結果（本実施形態では、直前1回分の通信結果が通信相手先記憶部５３に記憶されているものとする）を通信結果記憶部５４から更に読み出す（Ｓ３）。
【００５８】
続いて、表示制御部５２２は、図略のデータ記憶部から、操作者から通信相手先の指定を受け付けるためのアドレス帳画面Ｃを表示するために必要な画像データ等を読み出して、上記Ｓ４で読み出した通信相手先と、各通信相手先に対応する通信結果とを用いて、図６に例を示すようなアドレス帳画面Ｃを生成して、表示部４１０に表示させる（Ｓ４）。
【００５９】
この表示制御部５２２による表示部４１０へのアドレス帳画面Ｃの表示時に、操作者によるタッチ操作により、アドレス帳画面Ｃにおける所望の通信相手先の表示部分が押下されると、タッチパネル機能により、操作部４００を介して通信相手先受付部５２３に、当該押下された部分に表示されている通信相手先と、当該通信相手先に対応付けて通信相手先記憶部５３に記憶されている通信方式とが、今回の通信相手先及び通信方式として受け付けられる（Ｓ５でＹＥＳ）。
【００６０】
Ｓ５での通信相手先及び通信方式の受け付けの後、操作者によるタッチ操作によりアドレス帳画面ＣにおけるOKボタン４１１が押下されると、動作制御部５２１は、当該受け付けられた通信相手先に、当該受け付けられた通信方式で通信を行う（Ｓ６）。例えば、操作者により、アドレス帳画面Ｃに、ファクシミリの送信先として示されている「名前:大阪会社  詳細:66-6666-6666」表示部分４１９が押下され、OKボタン４１１が押下されると、動作制御部５２１は、ファクシミリ通信部７５に、当該ファクシミリ番号「66-6666-6666」にファクシミリ送信を行わせる。この場合、動作制御部５２１は、原稿読取部５００にセットされている原稿をスキャナ部１１に読み取らせ、当該読み取られた原稿の画像を、ファクシミリ通信部７５に、指定された通信相手先番号に送信する。
【００６１】
上記通信の完了後、動作制御部５２１は、ファクシミリ通信部７５又はネットワークＩ／Ｆ部７１１から、当該通信結果（例えば、上述したように、（例えば、通信が成立しなかったことを示す通信エラー、通信が成立したことを示す通信成功等）の情報を取得する（Ｓ７）。さらに、動作制御部５２１は、当該取得した通信結果の情報を通信結果記憶部５４に記憶させる（Ｓ８）。このように記憶された通信結果は、次回の通信時における通信相手先指定時に、表示制御部５２２によるＳ４でのアドレス帳画面Ｃの表示に用いられる。
【００６２】
この第１実施形態では、通信相手先記憶部５３には、各通信相手先について、直前1回分の通信結果が記憶され、表示制御部５２２が各通信相手先の当該直前1回分の通信結果を、通信相手先記憶部５３から読み出してアドレス帳画面Ｃ内に表示するようにしているが、これに限られず、各通信相手先について、前回の通信まで予め定められた複数回数分（例えば、20回）の通信結果が記憶され、表示制御部５２２が各通信相手先の当該複数回数分の通信結果を、通信相手先記憶部５３から読み出してアドレス帳画面Ｃ内に表示するようにしてもよい。
【００６３】
次に、複合機１による、表示部４１０に各機能の動作状況を表示する際における処理の第２実施形態について説明する。図７は、表示部４１０に通信相手先及び通信結果を表示する際における処理の第２実施形態を示すフローチャートである。図８は表示部４１０の表示画面の一例を示す図である。なお、図４に示した第１実施形態と同様の処理は説明を省略する。
【００６４】
この第２実施形態では、上記送信機能の開始指示が動作制御部５２１に受け付けられ（Ｓ１２でＹＥＳ）、表示制御部５２２が、通信相手先記憶部５３に記憶されている通信相手先を読み出し、当該読み出した通信相手先に対応付けて記憶されている過去の通信結果を通信結果記憶部５４から読み出したき（Ｓ１３）、表示制御部５２２は、さらに、前回の通信結果が通信エラーとなっている通信相手先を抽出する（Ｓ１４）。
【００６５】
表示制御部５２２は、Ｓ１４の抽出結果に基づいて、図８に示すように、各通信相手先を表示すると共に、前回の通信結果が通信エラーとなっている通信相手先についてのみ、通信結果（すなわち、通信エラーの旨）をアドレス帳画面Ｃに表示する（Ｓ１５）。このとき、表示制御部５２２は、Ｓ１４の抽出結果に基づいて、前回の通信結果が通信エラーではない通信相手先については、通信結果をアドレス帳画面Ｃに表示しない。
【００６６】
Ｓ１５によるアドレス帳画面Ｃの表示後、操作者の操作に基づいて、操作部４００を介して、通信結果表示要求が通信結果表示要求受付部５２５に受け付けられた場合は（Ｓ１６でＹＥＳ）、表示制御部５２２は、全ての通信相手先について上記図６に例を示したように通信結果を表示する（Ｓ１７）。例えば、図８に示した「前回」表示部分４１３が操作者により押下されると、タッチパネル機能により上記通信結果表示要求の指示が操作部４００に入力され、操作部４００を介して通信結果表示要求が通信結果表示要求受付部５２５に受け付けられるようになっている。
【００６７】
なお、この場合、表示制御部５２２は、操作者により指定された通信相手先についてのみ通信結果を表示するようにしてもよい。例えば、操作者により、アドレス帳画面Ｃに、電子メールの通信相手先として示されている「名前:大阪会社  詳細:kyo@ky.jp」の表示部分４２０が押下され、OKボタン４１１が押下されて指定されると、表示制御部５２２は、この指定された通信相手先についての通信結果を表示するようにしてもよい。
【００６８】
上記処理後は、第１実施形態に示したＳ５乃至Ｓ８と同様に、第２実施形態においてもＳ１８乃至Ｓ２１の処理が行われる。
【００６９】
次に、上記第１及び第２実施形態の更に変形形態について説明する。図９は、表示部４１０に通信相手先及び通信結果を表示する際における処理の変形形態を示すフローチャートである。図１０（ａ）（ｂ）は、表示部４１０の表示画面の一例を示す図である。なお、図４に示した第１実施形態、又は図７に示した第２実施形態と同様の処理は説明を省略する。
【００７０】
この変形形態では、表示制御部５２２は、操作者により選択された特定の通信相手先のみについて通信結果を表示する。
【００７１】
当該変形形態では、この表示制御部５２２による表示部４１０へのアドレス帳画面Ｃの表示時に、操作者によるタッチ操作により、例えば図１０（ａ）に示すアドレス帳画面Ｃにおける所望の通信相手先の表示部分４１４が押下され、その後に、「結果非表示」ボタン４１５が押下され、タッチパネル機能により、操作部４００を介して選択受付部５２４に、当該押下された部分に表示されている通信相手先の選択が受け付けられると（Ｓ３２でＹＥＳ）、選択受付部５２４は、当該通信相手先を、通信結果を非表示とする通信相手先として記憶する（Ｓ３３）。以降の通信処理（Ｓ３４）は、第１又は第２実施形態と同様に行われる。
【００７２】
本変形形態におけるＳ３１では、表示制御部５２２が、上記送信機能の開始指示が動作制御部５２１に受け付けられ、表示制御部５２２が、通信相手先記憶部５３に記憶されている通信相手先及びこれに対応付けられた通信結果を読み出したとき、表示制御部５２２は、選択受付部５２４に、通信結果を非表示とする通信相手先として記憶されている通信相手先については、図１０（ｂ）に例を示すように、アドレス帳画面Ｃに通信結果を表示させない。このとき、表示制御部５２２は、選択受付部５２４に、通信結果を非表示とする通信相手先として記憶されている通信相手先については、これに対応付けられた通信結果を読み出さないようにしてもよい。
【００７３】
これにより、選択受付部５２４で選択された通信相手先は、その通信結果がアドレス帳画面Ｃに表示されないので、操作者は、所望の通信相手先のみについての通信結果をアドレス帳画面Ｃに表示させることが可能になり、アドレス帳画面Ｃの表示内容が煩雑になって、操作者所望の通信結果に絞ってこれを把握しやすくすることが可能になる。
【００７４】
上記図１乃至図１０に示した実施形態に係る構成及び処理は、本発明に係る表示制御装置及び画像形成装置の構成及び処理の単なる一例に過ぎず、本発明に係る画像形成装置の構成及び処理を上記に示した内容に限定するものではない。
【００７５】
また、上記各実施形態では、本発明に係る画像形成装置を複合機１として説明したが、本発明に係る画像形成装置は複合機に限定されず、コピー機、ファクシミリ装置、プリンタ等でも構わない。さらには、本発明は、画像形成装置に限定されず、他の通信機器、例えば、携帯電話、データ通信が可能なモバイル機器等でも構わない。
【符号の説明】
【００７６】
１        複合機
５１      制御部
５２      ＣＰＵ
５２１    動作制御部
５２２    表示制御部
５２３    通信相手先受付部
５２４    選択受付部
５２５    通信結果表示要求受付部
５３      通信相手先記憶部
５４      通信結果記憶部
７１      ネットワークＩ／Ｆ部
７５      ファクシミリ通信部
４００    操作部
４１０    表示部
Ｃ        アドレス帳画面
【図１】
2011160027.tif 000003
【図２】
2011160027.tif 000004
【図３】
2011160027.tif 000005
【図４】
2011160027.tif 000006
【図５】
2011160027.tif 000007
【図６】
2011160027.tif 000008
【図７】
2011160027.tif 000009
【図８】
2011160027.tif 000010
【図９】
2011160027.tif 000011
【図１０】
2011160027.tif 000012
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
通信を行う通信部と、
前記通信部による通信対象となる通信相手先を記憶する通信相手先記憶部と、
前記通信相手先を表示する表示部と、
前記通信相手先を通信相手先候補としてリスト化した通信相手先リスト画面を前記表示部に表示させる表示制御部と、
前記表示制御部によって前記表示部に前記通信相手先リスト画面が表示されているときに、前記通信部に通信を行わせる通信相手先を操作者から受け付ける通信相手先受付部と、
前記通信部によって行われた前記通信相手先への少なくとも直前の通信結果を記憶する通信結果記憶部とを備え、
前記表示制御部は、前記通信相手先リスト画面を前記表示部に表示させるとき、前記各通信相手先と共に、各通信相手先に対応する前記通信結果を前記通信結果記憶部から読み出して前記通信相手先リスト画面内に表示させる画像表示装置。
【請求項２】
前記表示制御部は、前記通信相手先リスト画面を前記表示部に表示させるとき、前記通信結果記憶部に記憶されている前回の前記通信結果が通信エラーであると判断したときに、当該通信結果を通信相手先と共に前記通信相手先リスト画面の初期画面に表示させ、前記通信結果が通信エラーでない通信相手先については、各通信相手先に対応付けられた通信結果を前記通信相手先リスト画面に表示させない請求項１に記載の画像表示装置。
【請求項３】
前記各通信相手先について、対応する前記通信結果の表示要求を操作者から受け付ける通信結果表示要求受付部を更に備え、
前記表示制御部は、前記通信相手先リスト画面を前記表示部に表示させるとき、前記通信結果記憶部に記憶されている前回の前記通信結果が通信エラーであると判断したときに、当該通信結果を通信相手先と共に前記通信相手先リスト画面の初期画面に表示させ、前記通信結果が通信エラーでない通信相手先については、前記通信結果表示要求受付部に前記表示要求が受け付けられた場合に、各通信相手先に対応付けられた通信結果を前記通信相手先リスト画面に表示させる請求項２に記載の画像表示装置。
【請求項４】
前記通信相手先情報記憶部に記憶されている相手先情報の中から、任意の相手先情報を選択する指示を操作者から受け付ける選択受付部を更に備え、
前記表示制御部は、前記選択受付部で選択された通信相手先については、前記通信結果を前記通信相手先リスト画面に表示させない請求項１乃至請求項３のいずれかに記載の画像表示装置。
【請求項５】
請求項１乃至請求項４のいずれかに記載の画像表示装置を備えた通信機器。
【請求項６】
請求項１乃至請求項４のいずれかに記載の画像表示装置を備えた画像形成装置。
【手続補正２】
【補正対象書類名】明細書
【補正対象項目名】全文
【補正方法】変更
【補正の内容】
【発明の詳細な説明】
【技術分野】
【０００１】
本発明は、画像表示装置、通信機器及び画像形成装置に関し、特に、通信時に通信相手先を指定する際の技術に関する。
【背景技術】
【０００２】
従来から、操作者により指定された通信相手先に、電話やファクシミリ送信、電子メール送信等の通信を行う通信機器が知られている。このような通信機器においては、本体に登録されている通信相手先は、繰り返し同じ宛先に送信することを想定して登録されているにも関わらず、前回通信相手先に送信した通信結果は、過去の通信記録を示す通信ログ画面等の別画面を表示させて確認しなければならない。このため、操作者は、仮に前回の送信で通信に失敗していた通信相手先であるにも関わらず、通信開始指示時に通信相手先を選択する際においては、ユーザは通信に失敗していたことを知るための操作が面倒である。さらに、通信ログ画面等で確認しようとしても、通信ログ保持の期間又は件数は有限であることが多いため、操作者が特定の通信相手先の前回の通信結果を確認したくても既に消去されている場合がある。
【０００３】
また、特許文献１に示されるファクシミリ装置は、過去の通信記録に基づいて、ファクシミリ通信の不達確率が一定値に達した通信相手先を一定値越えリストに記憶させ、この一定置越えリストに記憶されている通信相手先を纏めて表示部に表示させる。
【先行技術文献】
【特許文献】
【０００４】
【特許文献１】特開２００８−２２２７９号公報
【発明の概要】
【発明が解決しようとする課題】
【０００５】
しかしながら、上記特許文献１に示されたファクシミリ装置の場合であっても、操作者が、ファクシミリ送信前に通信相手先を指定するときに、今回指定したい通信相手先についての過去の通信における上記不達確率が高いか否かを確認したい場合は、上記一定値越えリストに記憶されている通信相手先を表示部に表示させる作業を行って、通信相手先の入力画面とは別の画面での確認作業を行わねばならず、面倒であった。
【０００６】
本発明は、上記の問題を解決するためになされたもので、通信相手先への通信前に、操作者が、先に行われた通信の結果を簡単に確認できるようにすることを目的とする。
【課題を解決するための手段】
【０００７】
本発明の請求項１に記載の発明は、通信を行う通信部と、
前記通信部による通信対象となる通信相手先を記憶する通信相手先記憶部と、
前記通信相手先を表示する表示部と、
前記通信相手先を通信相手先候補としてリスト化した通信相手先リスト画面を前記表示部に表示させる表示制御部と、
前記表示制御部によって前記表示部に前記通信相手先リスト画面が表示されているときに、前記通信部に通信を行わせる通信相手先を操作者から受け付ける通信相手先受付部と、
前記通信部によって行われた前記通信相手先への少なくとも直前の通信結果を記憶する通信結果記憶部とを備え、
前記表示制御部は、前記通信相手先リスト画面を前記表示部に表示させるとき、前記各通信相手先と共に、各通信相手先に対応する前記通信結果を前記通信結果記憶部から読み出して前記通信相手先リスト画面内に表示させるである。
【０００８】
この発明によれば、表示制御部は、通信相手先リスト画面を表示部に表示させるとき、各通信相手先と共に、各通信相手先に対応する通信結果を通信結果記憶部から読み出して表示させるので、通信相手先への通信前に、操作者が、先に行われた通信の結果を簡単に確認できる。
【０００９】
本発明の請求項２に記載の発明は、請求項１に記載の画像表示装置であって、前記表示制御部は、前記通信相手先リスト画面を前記表示部に表示させるとき、前記通信結果記憶部に記憶されている前回の前記通信結果が通信エラーであると判断したときに、当該通信結果を通信相手先と共に前記通信相手先リスト画面の初期画面に表示させ、前記通信結果が通信エラーでない通信相手先については、各通信相手先に対応付けられた通信結果を前記通信相手先リスト画面に表示させないものである。
【００１０】
この発明によれば、表示制御部は、通信相手先に対応する通信結果が通信エラーである場合に、その通信相手先への通信が通信エラーを生じていたことを通信相手先リスト画面の初期画面に表示し、通信結果が通信エラーでない場合は、各通信相手先についての通信結果を通信相手先リスト画面に表示させないので、通信相手先リスト画面が煩雑な表示となることで却って操作者が重要な情報を把握できないという事態を回避し、操作者は、通信時に重要な情報となる前回の通信でエラーが生じていた事実を的確に把握できる。
【００１１】
本発明の請求項３に記載の発明は、請求項２に記載の画像表示装置であって、前記各通信相手先について、対応する前記通信結果の表示要求を操作者から受け付ける通信結果表示要求受付部を更に備え、
前記表示制御部は、前記通信相手先リスト画面を前記表示部に表示させるとき、前記通信結果記憶部に記憶されている前記各通信相手先に対応する前記通信結果が通信エラーであると判断したときに、当該通信結果を前記通信相手先リスト画面の初期画面に表示させ、前記通信結果が通信エラーでない通信相手先については、前記通信結果表示要求受付部に前記表示要求が受け付けられた場合に、各通信相手先に対応付けられた通信結果を前記通信相手先リスト画面に表示させるものである。
【００１２】
この発明によれば、表示制御部は、通信相手先に対応する通信結果が通信エラーである場合に、その通信相手先への通信が通信エラーを生じていたことを通信相手先リスト画面の初期画面に表示し、通信結果が通信エラーでない場合は、操作者から通信結果の表示要求がされた場合に、各通信相手先についての通信結果を通信相手先リスト画面に表示させるので、操作者は、通信時に重要な情報となる前回の通信でエラーが生じていた事実を的確に把握でき、その他の通信結果については必要に応じて表示させて把握することが可能になる。
【００１３】
本発明の請求項４に記載の発明は、請求項１乃至請求項３のいずれかに記載の画像表示装置であって、前記通信相手先情報記憶部に記憶されている相手先情報の中から、任意の相手先情報を選択する指示を操作者から受け付ける選択受付部を更に備え、
前記表示制御部は、前記選択受付部で選択された通信相手先については、前記通信結果を前記通信相手先リスト画面に表示させないものである。
【００１４】
この発明によれば、表示制御部は、選択受付部で選択された通信相手先については、通信結果を通信相手先リスト画面に表示させないので、操作者は、所望の通信相手先のみについての通信結果を通信相手先リスト画面に表示させることが可能になる。
【００１５】
本発明の請求項５に記載の発明は、請求項１乃至請求項４のいずれかに記載の画像表示装置を備えた通信機器である。
【００１６】
本発明の請求項６に記載の発明は、請求項１乃至請求項４のいずれかに記載の画像表示装置を備えた画像形成装置である。
【発明の効果】
【００１７】
本発明によれば、通信相手先への通信前に、操作者が、先に行われた通信の結果を簡単に確認できるようにする。
【図面の簡単な説明】
【００１８】
【図１】本発明の一実施形態に係る画像形成装置の一例である複合機の構成を示す側面概略図である。
【図２】操作部の部分拡大図である。
【図３】図１に示す複合機の制御ブロック図である。
【図４】表示部に通信相手先及び通信結果を表示する際における処理の第１実施形態を示すフローチャートである。
【図５】表示部の表示画面の一例を示す図である。
【図６】表示部の表示画面の一例を示す図である。
【図７】表示部に通信相手先及び通信結果を表示する際における処理の第２実施形態を示すフローチャートである。
【図８】表示部の表示画面の一例を示す図である。
【図９】表示部に通信相手先及び通信結果を表示する際における処理の変形形態を示すフローチャートである。
【図１０】（ａ）（ｂ）は、表示部の表示画面の一例を示す図である。
【発明を実施するための形態】
【００１９】
以下、本発明の一実施形態に係る画像表示装置及び画像形成装置について図面を参照して説明する。図１は、本発明の一実施形態に係る画像形成装置の一例である複合機の構成を示す側面概略図である。図２は、操作部４００の部分拡大図である。複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読取部５００と、原稿読取部５００の上部に配設された原稿給送部６００とから構成される。
【００２０】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３、及び機能切換キー４３４等を備える。
【００２１】
ヘルプキー４３１は、操作者から、スキャナ機能、ファクシミリ機能、プリンタ機能、コピー機能等に関する各操作方法を表示する操作画面（ヘルプ画面）を表示部４１０に表示させる指示を受け付けるものである。
【００２２】
スタートキー４３２は、コピー動作やスキャン動作等の各動作を開始させる指示を操作者から受け付ける。テンキー４３３は、コピー部数を指定する指示等を操作者から受け付けるキーである。また、本実施形態では、テンキー４３３は、表示部４１０に表示中の操作画面に対応する操作指示の入力に必要な情報（例えば、ユーザボックス番号）の入力を受け付ける情報入力部として機能する。
【００２３】
機能切換キー４３４は、コピー機能、送信機能（スキャナ機能、ファクシミリ機能等）、文書ボックス機能（後述するＨＤＤ７４内の記憶領域（メールボックス）に記憶されているデータを読み出してプリントする機能）等を相互に切り替える機能切換指示を操作者から受け付けるキーである。
【００２４】
表示部４１０は、ＬＣＤ（Liquid Crystal Display）等からなり、タッチパネル機能を組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２５】
原稿給送部６０は、原稿載置部６０１、給紙ローラ６０２、原稿搬送部６０３及び原稿排出部６０４を備え、原稿読取部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２６】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２７】
感光体ドラム２０４は、矢印方向に回転しながら帯電装置（図示省略）によって一様に帯電される。露光装置２０６は、原稿読取部５００において読み取られた原稿の画像に応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２８】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２９】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００３０】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、及びファクシミリ通信部７５を備える。
【００３１】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像
に対応する画像を画像処理部２１へ出力する。
【００３２】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３３】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３４】
ネットワークＩ／Ｆ部７１は、ネットワークインタフェース（10/100Base-TX）等を用い、ＬＡＮ、又はルータを介したインターネットにより外部装置との間での種々のデータの送受信を制御する。ネットワークＩ／Ｆ部７１は、動作制御部５２１による制御の下、例えば、ＬＡＮにより当該複合機１に接続されたパーソナルコンピュータであって、操作部４００の操作により操作者から指定されたアドレスを有するパーソナルコンピュータに対して、スキャナ部１１によって読み取られた原稿画像データ等を送信して、操作者により指定された当該パーソナルコンピュータ内のフォルダに格納させる。また、ネットワークＩ／Ｆ部７１は、動作制御部５２１による制御の下、例えば、ルータを介してインターネット等により当該複合機１に接続されたコンピュータであって、操作部４００の操作により操作者から指定されたアドレスを有するパーソナルコンピュータに対して、電子メールを送信する。
【００３５】
ＨＤＤ７４は、スキャナ部１１によって読み取られた画像及び当該画像に設定されている出力形式等を記憶する。
【００３６】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。
【００３７】
例えば、表示部４１０には、後述する図６に示すアドレス帳画面Ｃの表示時に、当該画面内に「OK」キー４１１と、キャンセルキー４１２とが表示制御部５２２の表示制御により表示される。
【００３８】
「OK」キー４１１は、アドレス帳画面Ｃに対応する操作指示の入力完了を示す入力完了指示の入力をタッチパネル機能により操作者から受け付けるキーである。
【００３９】
キャンセルキー４１２は、アドレス帳画面Ｃに対応する操作指示が操作者により既に入力済みである場合に、当該入力済みの操作指示の入力を取り消す指示をタッチパネル機能により操作者から受け付けるソフトキーである。
【００４０】
操作キー部４３０には、図２に示した機能切換キー４３４、スタートキー４３２、テンキー４３３等が設けられている。制御部５１のＣＰＵ５２は、上記表示部４１０及び操作部４００の各キーから、操作者によって入力された指示を受け付ける。
【００４１】
ファクシミリ通信部７５は、符号化／復号化部（図示省略）、変復調部（図示省略）及びＮＣＵ（Network Control Unit）（図示省略）を含む。ファクシミリ通信部７５は、動作制御部５２１による制御の下、スキャナ部１１によって読み取られた原稿の画像データを、操作者による操作部４００の操作で指定された通信相手先のファクシミリ装置に、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。また、ファクシミリ通信部７５は、動作制御部５２１による制御の下、操作者による操作部４００の操作で指定された通信相手先のファクシミリ装置、或いは、当該複合機１をファクシミリデータの受信先として指定してくる外部のファクシミリ装置の間で、インターネットファクスによるデータ通信を行う。
【００４２】
制御部５１は、ＣＰＵ５２と、データ記憶部５０とを備える。ＣＰＵ５２は、複合機１の動作制御を司るものである。
【００４３】
データ記憶部５０は、通信相手先記憶部５３及び通信結果記憶部５４を備える。
【００４４】
通信相手先記憶部５３は、メモリ等からなり、操作者による操作部４００の操作で入力された、上記電子メールの送信相手先を示すアドレス、原稿画像データの格納先とするパーソナルコンピュータ及びそのフォルダを示すアドレス、ファクシミリ番号等を、上記ネットワークＩ／Ｆ部７１による通信、又は上記ファクシミリ通信部７５による通信の通信相手先として記憶する。
【００４５】
通信結果記憶部５４は、メモリ等からなり、上記ネットワークＩ／Ｆ部７１による通信、及び上記ファクシミリ通信部７５による通信が行われた時に、動作制御部５２１が取得したこれらの通信についての通信結果（例えば、通信が成立しなかったことを示す通信エラー、通信が成立したことを示す通信成功等）を記憶する。上記通信結果として動作制御部５２１により取得されて通信結果記憶部５４に記憶される通信エラーの種類としては、(1)電子メール送信の場合、送信相手先アドレスが無効であって送信完了不可能であった旨、(2)パーソナルコンピュータへのデータ送信の場合、通信相手方となる当該パーソナルコンピュータのアクセス拒否、(3)ファクシミリ通信の場合、通信相手方の着信拒否や話し中等の情報が記憶される。
【００４６】
ＣＰＵ５２は、動作制御部５２１、表示制御部５２２、通信相手先受付部５２３、選択受付部５２４、及び通信結果表示要求受付部５２５を備える。動作制御部５２１は、複合機１の各部（操作部４００、スキャナ部１１，画像処理部２１、プリンタ部３１等）の動作制御を司る。動作制御部５２１は、例えば、上述したように、上記ネットワークＩ／Ｆ部７１による通信、及び上記ファクシミリ通信部７５による通信を制御する。
【００４７】
表示制御部５２２は、表示部４１０の表示動作を制御する。表示制御部５２２は、図略のデータ記憶部から、操作画面の表示に必要な画像データ等を読み出して、通信相手先記憶部５３及び通信結果記憶部５４に記憶されている各情報と共に、アドレス帳画面Ｃ（通信相手先リスト画面の一例）を生成して、表示部４１０に表示させる。
【００４８】
通信相手先受付部５２３は、表示制御部５２２によって表示部４１０にアドレス帳画面Ｃが表示されているときに、上記ネットワークＩ／Ｆ部７１及びファクシミリ通信部７５による通信を行わせる通信相手先を示す通信相手先情報を、操作者による操作部４００の操作に基づいて受け付ける。
【００４９】
選択受付部５２４は、通信相手先記憶部５３に記憶されている通信相手先であって、表示制御部５２２によりアドレス帳画面Ｃとして表示部４１０に表示された通信相手先の中から、操作者が通信の相手先とする任意の通信相手先を選択する指示を、当該操作者による操作部４００の操作に基づいて受け付ける。なお、表示制御部５２２は、選択受付部５２４で操作者により通信非表示として選択された通信相手先については、上記通信結果をアドレス帳画面Ｃとして表示部４１０に表示させない。
【００５０】
通信結果表示要求受付部５２５は、表示制御部５２２による表示制御でアドレス帳画面Ｃに表示された各通信相手先に対応する通信結果の表示要求を操作者から受け付ける。本発明に係る実施形態としては、(1)表示制御部５２２は、アドレス表示画面Ｃを表示部４１０に表示させるときに、通信結果表示要求受付部５２５による操作者からの通信結果の表示要求の有無に関わらずに、各通信相手先に対応付けられて通信結果記憶部５４に記憶されている通信結果を表示部４１０に表示させる第１実施形態と（この形態では、通信結果表示要求受付部５２５は必須の構成要素ではない）、(2)表示制御部５２２は、アドレス表示画面Ｃを表示部４１０に表示させるとき、通信結果記憶部５４に記憶されている各通信相手先に対応する通信結果が通信エラーであると判断したときに、当該通信結果をアドレス表示画面Ｃの初期画面に表示させ、当該通信結果が通信エラーでない場合は、通信結果表示要求受付部５２５に操作者からの表示要求が受け付けられた場合にアドレス表示画面Ｃに表示させる第２実施形態（この形態では、通信結果表示要求受付部５２５は必須の構成要素となる）とがある。この第２実施形態の場合、表示制御部５２２は、アドレス表示画面Ｃを表示部４１０に初期表示させるとき、通信結果記憶部５４に記憶されている各通信相手先に対応する通信結果が通信エラーであると判断したときに、当該通信結果が通信エラーと判断された通信相手先についてはその通信結果を当該通信相手先と共に表示させ、当該通信結果が通信エラーでないと判断した通信相手先についてはその通信結果を当該通信相手先と共には表示させない。
【００５１】
なお、本発明の一実施形態に係る画像表示装置は、操作部４００と、表示部４１０と、動作制御部５２１と、表示制御部５２２と、通信結果記憶部５４とを備え、これに加えて更に、ネットワークＩ／Ｆ部７１又はファクシミリ通信部７５の少なくとも一方を備えてなる。
【００５２】
なお、本発明の一実施形態に係る表示制御プログラムは、ＨＤＤ７４等の複合機１内の記憶媒体に記憶されており、ＣＰＵ５２が当該表示制御プログラムに従って動作制御を行うことで、上記表示制御部５２２、通信相手先受付部５２３、選択受付部５２４、及び通信結果表示要求受付部５２５として機能し、更に制御部５２のメモリを通信結果記憶部５４として機能させる。この表示制御プログラムは、ＣＤ−ＲＯＭ又はＤＶＤからの読込、或いは、ネットワークＩ／Ｆ７１によるインターネット上のサーバからダウンロードにより、ＨＤＤ７４等に記憶される。
【００５３】
但し、上記表示制御部５２２、通信相手先受付部５２３、選択受付部５２４、及び通信結果表示要求受付部５２５は、ＣＰＵ５２が上記表示制御プログラムに従って動作制御することで実現されるものに限られず、上記表示制御部５２２、通信相手先受付部５２３、選択受付部５２４、及び通信結果表示要求受付部５２５が回路等によりハード的に備えられていてもよい。
【００５４】
次に、複合機１による、表示部４１０に各機能の動作状況を表示する際における処理の第１実施形態について説明する。図４は、表示部４１０に通信相手先及び通信結果を表示する際における処理の第１実施形態を示すフローチャート、図５及び図６は表示部４１０の表示画面の一例を示す図である。
【００５５】
複合機１の主電源が操作者によってオンにされると、表示制御部５２２は、表示部４１０に図５に示すような初期表示画面Ａを表示させる（Ｓ１）。本実施形態では、表示制御部５２２は、初期表示画面Ａの一例として、表示部４１０に、コピー機能の動作条件が設定可能な表示画面を表示させる例を示す。
【００５６】
表示制御部５２２が、表示部４１０に初期表示画面Ａを表示させているときに、操作者により、コピー動作の実行指示等、送信機能以外の他の動作の指示が入力されて動作制御部５２１に受け付けられた場合には（Ｓ２でＮＯ）、当該入力が受け付けられた他の動作が動作制御部５２１により実行される（Ｓ９）。
【００５７】
表示制御部５２２が、表示部４１０に初期表示画面Ａを表示させているときに、操作者により操作キー部４３０の機能切換キー４３４をなす例えば送信キー４３４１が押下され、この押下操作に基づいて、複合機１に取得された画像データ等を外部機器に送信する送信機能の開始指示が動作制御部５２１に受け付けられると（Ｓ２でＹＥＳ）、表示制御部５２２は、通信相手先記憶部５３に記憶されている通信相手先（上記電子メールの送信相手先を示すアドレス、原稿画像データの格納先とするパーソナルコンピュータ及びそのフォルダを示すアドレス、ファクシミリ番号等）を読み出し、当該読み出した通信相手先に対応付けて記憶されている過去の通信結果（本実施形態では、直前1回分の通信結果が通信相手先記憶部５３に記憶されているものとする）を通信結果記憶部５４から更に読み出す（Ｓ３）。
【００５８】
続いて、表示制御部５２２は、図略のデータ記憶部から、操作者から通信相手先の指定を受け付けるためのアドレス帳画面Ｃを表示するために必要な画像データ等を読み出して、上記Ｓ３で読み出した通信相手先と、各通信相手先に対応する通信結果とを用いて、図６に例を示すようなアドレス帳画面Ｃを生成して、表示部４１０に表示させる（Ｓ４）。
【００５９】
この表示制御部５２２による表示部４１０へのアドレス帳画面Ｃの表示時に、操作者によるタッチ操作により、アドレス帳画面Ｃにおける所望の通信相手先の表示部分が押下されると、タッチパネル機能により、操作部４００を介して通信相手先受付部５２３に、当該押下された部分に表示されている通信相手先と、当該通信相手先に対応付けて通信相手先記憶部５３に記憶されている通信方式とが、今回の通信相手先及び通信方式として受け付けられる（Ｓ５でＹＥＳ）。
【００６０】
Ｓ５での通信相手先及び通信方式の受け付けの後、操作者によるタッチ操作によりアドレス帳画面ＣにおけるOKボタン４１１が押下されると、動作制御部５２１は、当該受け付けられた通信相手先に、当該受け付けられた通信方式で通信を行う（Ｓ６）。例えば、操作者により、アドレス帳画面Ｃに、ファクシミリの送信先として示されている「名前:大阪会社  詳細:66-6666-6666」表示部分４１９が押下され、OKボタン４１１が押下されると、動作制御部５２１は、ファクシミリ通信部７５に、当該ファクシミリ番号「66-6666-6666」にファクシミリ送信を行わせる。この場合、動作制御部５２１は、原稿読取部５００にセットされている原稿をスキャナ部１１に読み取らせ、当該読み取られた原稿の画像を、ファクシミリ通信部７５に、指定された通信相手先番号に送信する。
【００６１】
上記通信の完了後、動作制御部５２１は、ファクシミリ通信部７５又はネットワークＩ／Ｆ部７１１から、当該通信結果（例えば、上述したように、（例えば、通信が成立しなかったことを示す通信エラー、通信が成立したことを示す通信成功等）の情報を取得する（Ｓ７）。さらに、動作制御部５２１は、当該取得した通信結果の情報を通信結果記憶部５４に記憶させる（Ｓ８）。このように記憶された通信結果は、次回の通信時における通信相手先指定時に、表示制御部５２２によるＳ４でのアドレス帳画面Ｃの表示に用いられる。
【００６２】
この第１実施形態では、通信結果記憶部５４には、各通信相手先について、直前1回分の通信結果が記憶され、表示制御部５２２が各通信相手先の当該直前1回分の通信結果を、通信結果記憶部５４から読み出してアドレス帳画面Ｃ内に表示するようにしているが、これに限られず、各通信相手先について、前回の通信まで予め定められた複数回数分（例えば、20回）の通信結果が記憶され、表示制御部５２２が各通信相手先の当該複数回数分の通信結果を、通信結果記憶部５４から読み出してアドレス帳画面Ｃ内に表示するようにしてもよい。
【００６３】
次に、複合機１による、表示部４１０に各機能の動作状況を表示する際における処理の第２実施形態について説明する。図７は、表示部４１０に通信相手先及び通信結果を表示する際における処理の第２実施形態を示すフローチャートである。図８は表示部４１０の表示画面の一例を示す図である。なお、図４に示した第１実施形態と同様の処理は説明を省略する。
【００６４】
この第２実施形態では、上記送信機能の開始指示が動作制御部５２１に受け付けられ（Ｓ１２でＹＥＳ）、表示制御部５２２が、通信相手先記憶部５３に記憶されている通信相手先を読み出し、当該読み出した通信相手先に対応付けて記憶されている過去の通信結果を通信結果記憶部５４から読み出したき（Ｓ１３）、表示制御部５２２は、さらに、前回の通信結果が通信エラーとなっている通信相手先を抽出する（Ｓ１４）。
【００６５】
表示制御部５２２は、Ｓ１４の抽出結果に基づいて、図８に示すように、各通信相手先を表示すると共に、前回の通信結果が通信エラーとなっている通信相手先についてのみ、通信結果（すなわち、通信エラーの旨）をアドレス帳画面Ｃに表示する（Ｓ１５）。このとき、表示制御部５２２は、Ｓ１４の抽出結果に基づいて、前回の通信結果が通信エラーではない通信相手先については、通信結果をアドレス帳画面Ｃに表示しない。
【００６６】
Ｓ１５によるアドレス帳画面Ｃの表示後、操作者の操作に基づいて、操作部４００を介して、通信結果表示要求が通信結果表示要求受付部５２５に受け付けられた場合は（Ｓ１６でＹＥＳ）、表示制御部５２２は、全ての通信相手先について上記図６に例を示したように通信結果を表示する（Ｓ１７）。例えば、図８に示した「前回」表示部分４１３が操作者により押下されると、タッチパネル機能により上記通信結果表示要求の指示が操作部４００に入力され、操作部４００を介して通信結果表示要求が通信結果表示要求受付部５２５に受け付けられるようになっている。
【００６７】
なお、この場合、表示制御部５２２は、操作者により指定された通信相手先についてのみ通信結果を表示するようにしてもよい。例えば、操作者により、アドレス帳画面Ｃに、電子メールの通信相手先として示されている「名前:大阪会社  詳細:kyo@ky.jp」の表示部分４２０が押下され、OKボタン４１１が押下されて指定されると、表示制御部５２２は、この指定された通信相手先についての通信結果を表示するようにしてもよい。
【００６８】
上記処理後は、第１実施形態に示したＳ５乃至Ｓ８と同様に、第２実施形態においてもＳ１８乃至Ｓ２１の処理が行われる。
【００６９】
次に、上記第１及び第２実施形態の更に変形形態について説明する。図９は、表示部４１０に通信相手先及び通信結果を表示する際における処理の変形形態を示すフローチャートである。図１０（ａ）（ｂ）は、表示部４１０の表示画面の一例を示す図である。なお、図４に示した第１実施形態、又は図７に示した第２実施形態と同様の処理は説明を省略する。
【００７０】
この変形形態では、表示制御部５２２は、操作者により選択された特定の通信相手先のみについて通信結果を表示する。
【００７１】
当該変形形態では、この表示制御部５２２による表示部４１０へのアドレス帳画面Ｃの表示時に、操作者によるタッチ操作により、例えば図１０（ａ）に示すアドレス帳画面Ｃにおける所望の通信相手先の表示部分４１４が押下され、その後に、「結果非表示」ボタン４１５が押下され、タッチパネル機能により、操作部４００を介して選択受付部５２４に、当該押下された部分に表示されている通信相手先の選択が受け付けられると（Ｓ３２でＹＥＳ）、選択受付部５２４は、当該通信相手先を、通信結果を非表示とする通信相手先として記憶する（Ｓ３３）。以降の通信処理（Ｓ３４）は、第１又は第２実施形態と同様に行われる。
【００７２】
本変形形態におけるＳ３１では、表示制御部５２２が、上記送信機能の開始指示が動作制御部５２１に受け付けられ、表示制御部５２２が、通信相手先記憶部５３に記憶されている通信相手先及びこれに対応付けられた通信結果を読み出したとき、表示制御部５２２は、選択受付部５２４に、通信結果を非表示とする通信相手先として記憶されている通信相手先については、図１０（ｂ）に例を示すように、アドレス帳画面Ｃに通信結果を表示させない。このとき、表示制御部５２２は、選択受付部５２４に、通信結果を非表示とする通信相手先として記憶されている通信相手先については、これに対応付けられた通信結果を読み出さないようにしてもよい。
【００７３】
これにより、選択受付部５２４で選択された通信相手先は、その通信結果がアドレス帳画面Ｃに表示されないので、操作者は、所望の通信相手先のみについての通信結果をアドレス帳画面Ｃに表示させることが可能になり、操作者所望の通信結果に絞ってこれを把握しやすくすることが可能になる。
【００７４】
上記図１乃至図１０に示した実施形態に係る構成及び処理は、本発明に係る表示制御装置及び画像形成装置の構成及び処理の単なる一例に過ぎず、本発明に係る画像形成装置の構成及び処理を上記に示した内容に限定するものではない。
【００７５】
また、上記各実施形態では、本発明に係る画像形成装置を複合機１として説明したが、本発明に係る画像形成装置は複合機に限定されず、コピー機、ファクシミリ装置、プリンタ等でも構わない。さらには、本発明は、画像形成装置に限定されず、他の通信機器、例えば、携帯電話、データ通信が可能なモバイル機器等でも構わない。
【符号の説明】
【００７６】
１        複合機
５１      制御部
５２      ＣＰＵ
５２１    動作制御部
５２２    表示制御部
５２３    通信相手先受付部
５２４    選択受付部
５２５    通信結果表示要求受付部
５３      通信相手先記憶部
５４      通信結果記憶部
７１      ネットワークＩ／Ｆ部
７５      ファクシミリ通信部
４００    操作部
４１０    表示部
Ｃ        アドレス帳画面
【手続補正３】
【補正対象書類名】図面
【補正対象項目名】図６
【補正方法】変更
【補正の内容】
【図６】
2011160027.tif 000013
【手続補正４】
【補正対象書類名】図面
【補正対象項目名】図８
【補正方法】変更
【補正の内容】
【図８】
2011160027.tif 000014
【手続補正５】
【補正対象書類名】図面
【補正対象項目名】図９
【補正方法】変更
【補正の内容】
【図９】
2011160027.tif 000015
【手続補正６】
【補正対象書類名】図面
【補正対象項目名】図１０
【補正方法】変更
【補正の内容】
【図１０】
2011160027.tif 000016